(57)【要約】【課題】発光装置と同調させて撮影を行う際の同調秒時を短縮化できるカメラおよびシャッタ装置を提供する。【解決手段】１つのフォトリフレクタ４０５で先幕３番羽根４１３および後幕３番羽根４２３の位置を直接検出し、検出した結果に基づいて制御回路１０１が発光装置１０５の発光制御のための制御信号を生成して出力するように構成した。これにより、先幕３番羽根４１３および後幕３番羽根４２３と連動する先幕１番羽根４１１および後幕１番羽根４２１の位置の検出精度を向上でき、発光装置１０５の発光と同調可能なシャッタ秒時を短縮化できる。したがって、シンクロ撮影時に設定可能なシャッタ秒時の範囲を拡大でき、様々な撮影シーンにおいてユーザの意図する画像を得ることができる。【選択図】図３
2011028024.tif 000002
【特許請求の範囲】
【請求項１】
被写体像を撮像する撮像手段と、
前記撮像手段の前面で走行して前記撮像手段への被写体光の入射を禁止および許可する先幕遮光羽根群および後幕遮光羽根群と、前記先幕遮光羽根群が取り付けられる先幕レバーと、前記後幕遮光羽根群が取り付けられる後幕レバーと、前記先幕レバーを軸支する先幕回動軸と、前記後幕レバーを軸支する後幕回動軸とを有するシャッタ装置と、
前記シャッタ装置の前記先幕レバーおよび後幕レバーを回動させるシャッタ駆動装置と、
前記撮像手段への被写体光の入射を禁止していた前記先幕遮光羽根群が走行を開始して前記撮像手段における撮像に有効な範囲内に入射する被写体光に干渉しなくなる第１のタイミングを、前記先幕遮光羽根群を構成する複数の先幕遮光羽根のいずれか１枚の位置で検出する１つの検出手段と、
前記検出手段の検出結果に基づいて、発光装置の発光制御のための制御信号を生成する信号生成手段とを備えることを特徴とするカメラ。
【請求項２】
請求項１に記載のカメラにおいて、
前記シャッタ装置は、前記撮像素子に被写体光を導くための略矩形形状の撮影開口を有し、前記先幕レバーおよび後幕レバーが前記撮影開口の一辺の外側に設けられ、
前記検出手段は、前記撮影開口の前記一辺と対向する他辺の外側に設けられていることを特徴とするカメラ。
【請求項３】
請求項２に記載のカメラにおいて、
前記先幕遮光羽根群および前記後幕遮光羽根群は、前記一辺および他辺の延在方向に沿って走行し、
前記検出手段は、前記他辺の外側で前記他辺の延在方向の略中央に配設されていることを特徴とするカメラ。
【請求項４】
請求項１〜３のいずれか一項に記載のカメラにおいて、
前記検出手段は、前記撮像手段への被写体光の入射を許可していた前記後幕遮光羽根群が走行を開始して前記撮像手段における撮像に有効な範囲内に入射する被写体光に干渉し始める第２のタイミングを、前記後幕遮光羽根群を構成する複数の後幕遮光羽根のいずれか１枚の位置で検出することを特徴とするカメラ。
【請求項５】
請求項２または請求項３に記載のカメラにおいて、
前記複数の先幕遮光羽根は、前記一辺および他辺の延在方向とは略直交する方向に延在し、延在方向の一方端が前記先幕レバーに取り付けられ、
前記複数の先幕遮光羽根のいずれか１枚の他方端は、前記一辺および他辺の延在方向に向かって延在する第１の延在部を有し、
前記検出手段は、前記第１の延在部の位置を検出することによって前記第１のタイミングを検出することを特徴とするカメラ。
【請求項６】
請求項５に記載のカメラにおいて、
前記検出手段は、前記撮像手段への被写体光の入射を許可していた前記後幕遮光羽根群が走行を開始して前記撮像手段における撮像に有効な範囲内に入射する被写体光に干渉し始める第２のタイミングを、前記後幕遮光羽根群を構成する複数の後幕遮光羽根のいずれか１枚の位置で検出することを特徴とするカメラ。
【請求項７】
請求項５または請求項６に記載のカメラにおいて、
前記複数の後幕遮光羽根は、前記一辺および他辺の延在方向とは略直交する方向に延在し、延在方向の一方端が前記後幕レバーに取り付けられ、
前記複数の後幕遮光羽根のいずれか１枚の他方端は、前記一辺および他辺の延在方向に向かって延在する第２の延在部をそれぞれ有し、
前記検出手段は、前記第２の延在部の位置を検出することによって前記第２のタイミングを検出し、
前記第１および第２の延在部は、前記撮像手段においてスリット露光ができるように前記先幕遮光羽根群および前記後幕遮光羽根群を走行させた際に、前記スリット露光のスリットを形成する前記先幕遮光羽根および前記後幕遮光羽根の位置を前記検出手段で検出できるように、切り欠かれていることを特徴とするカメラ。
【請求項８】
請求項７に記載のカメラにおいて、
前記第１および第２の延在部は、少なくとも最も短いシャッタ秒時またはその近傍のシャッタ秒時で前記撮像手段においてスリット露光ができるように前記先幕遮光羽根群および前記後幕遮光羽根群を走行させた際に、前記スリット露光のスリットを形成する前記先幕遮光羽根および前記後幕遮光羽根の位置を前記検出手段で検出できるように、切り欠かれていることを特徴とするカメラ。
【請求項９】
請求項３〜８のいずれか一項に記載のカメラにおいて、
前記先幕回動軸、前記先幕レバー、および前記複数の先幕遮光羽根は、それぞれ、前記後幕回動軸、前記後幕レバーおよび前記複数の後幕遮光羽根とそれぞれ同一であることを特徴とするカメラ。
【請求項１０】
請求項１〜９のいずれか一項に記載のカメラにおいて、
前記先幕遮光羽根および前記後幕遮光羽根は、少なくとも３枚の遮光羽根をそれぞれ有し、
前記検出手段は、前記先幕遮光羽根および前記後幕遮光羽根の走行方向の最前列および最後列の遮光羽根以外の遮光羽根の位置を検出することを特徴とするカメラ。
【請求項１１】
撮像手段の前面で走行して前記撮像手段への被写体光の入射を禁止および許可する先幕遮光羽根群および後幕遮光羽根群と、
前記先幕遮光羽根群が取り付けられる先幕レバーと、
前記後幕遮光羽根群が取り付けられる後幕レバーと、
前記先幕レバーを軸支する先幕回動軸と、
前記後幕レバーを軸支する後幕回動軸と、
前記撮像手段への被写体光の入射を禁止していた前記先幕遮光羽根群が走行を開始して前記撮像手段における撮像に有効な範囲内に入射する被写体光に干渉しなくなるタイミングを、前記先幕遮光羽根群を構成する複数の先幕遮光羽根のいずれか１枚の位置で検出する１つの検出手段とを備えることを特徴とするシャッタ装置。
【発明の詳細な説明】
【技術分野】
【０００１】
本発明は、先幕遮光羽根群および後幕遮光羽根群を有するシャッタ装置、および、このシャッタ装置を備えるカメラに関する。
【背景技術】
【０００２】
フォーカルプレーンシャッタを備えるカメラで発光装置を発光させて撮影を行う場合、発光装置の発光の途中でシャッタの遮光羽根が被写体光を遮ると露光ムラが生じてしまう。そのため、遮光羽根が撮像素子に入射する被写体光を遮らない位置にある時に発光装置の発光を開始および終了させる必要がある。そこで、従来のカメラでは、Ｘ接点から出力される信号に基づいて発光装置の発光開始タイミングを決定したり、先幕の先端が通過したことを検出してから所定時間経過後に遮光羽根が撮影光路から完全に退避したものとして発光装置の発光を開始するようにしている（特許文献１参照）。
【先行技術文献】
【特許文献】
【０００３】
【特許文献１】特開平１１−１５０５２号公報
【発明の概要】
【発明が解決しようとする課題】
【０００４】
しかし、上述したようにＸ接点から出力される信号に基づいて発光装置の発光開始タイミングを決定する場合には、Ｘ接点を構成する部材の取付精度などに起因する信号の出力タイミングのばらつきを考慮する必要がある。そのため、遮光羽根が撮影光路から完全に退避してからＸ接点から信号が出力されるまでに遅れ時間を設ける必要がある。また、上述した特許文献に記載の装置のように先幕の先端が通過したことを検出してから所定時間経過後に発光装置の発光を開始するようにした場合には、遮光羽根の走行速度のばらつきを考慮する必要がある。そのため、先幕の先端が通過したことを検出してから発光装置の発光を開始するまでの所定時間に、上記ばらつきを加味する必要がある。このように、従来の技術では、遮光羽根が撮影光路から完全に退避してから発光装置の発光を開始するまでにある程度の遅れ時間を設ける必要があり、発光装置と同調させて撮影を行う際の同調秒時の短縮化が困難であった。
【課題を解決するための手段】
【０００５】
（１）  請求項１の発明によるカメラは、被写体像を撮像する撮像手段と、撮像手段の前面で走行して撮像手段への被写体光の入射を禁止および許可する先幕遮光羽根群および後幕遮光羽根群と、先幕遮光羽根群が取り付けられる先幕レバーと、後幕遮光羽根群が取り付けられる後幕レバーと、先幕レバーを軸支する先幕回動軸と、後幕レバーを軸支する後幕回動軸とを有するシャッタ装置と、シャッタ装置の先幕レバーおよび後幕レバーを回動させるシャッタ駆動装置と、撮像手段への被写体光の入射を禁止していた先幕遮光羽根群が走行を開始して撮像手段における撮像に有効な範囲内に入射する被写体光に干渉しなくなる第１のタイミングを、先幕遮光羽根群を構成する複数の先幕遮光羽根のいずれか１枚の位置で検出する１つの検出手段と、検出手段の検出結果に基づいて、発光装置の発光制御のための制御信号を生成する信号生成手段とを備えることを特徴とする。
（２）  請求項１１の発明によるシャッタ装置は、撮像手段の前面で走行して撮像手段への被写体光の入射を禁止および許可する先幕遮光羽根群および後幕遮光羽根群と、先幕遮光羽根群が取り付けられる先幕レバーと、後幕遮光羽根群が取り付けられる後幕レバーと、先幕レバーを軸支する先幕回動軸と、後幕レバーを軸支する後幕回動軸と、撮像手段への被写体光の入射を禁止していた先幕遮光羽根群が走行を開始して撮像手段における撮像に有効な範囲内に入射する被写体光に干渉しなくなるタイミングを、先幕遮光羽根群を構成する複数の先幕遮光羽根のいずれか１枚の位置で検出する１つの検出手段とを備えることを特徴とする。
【発明の効果】
【０００６】
本発明によれば、発光装置と同調させて撮影を行う際の同調秒時を短縮化できる。
【図面の簡単な説明】
【０００７】
【図１】本発明によるカメラである一眼レフタイプのカメラボディ１００とカメラボディ１００に装着する撮影レンズ１２０を示した斜視図である。
【図２】カメラボディ１００に取り付けられるミラーボックスの斜視図である。
【図３】遮光羽根部４０１の内部の詳細を示す図である。
【図４】遮光羽根部４０１の内部の詳細を示す図である。
【図５】遮光羽根部４０１の内部の詳細を示す図である。
【図６】遮光羽根部４０１の内部の詳細を示す図である。
【図７】撮影時における先幕遮光羽根群４１０および後幕遮光羽根群４２０の走行状態と、フォトリフレクタ４０５から制御回路１０１に出力される信号の状態と、発光装置１０５の発光状態（明るさ）との経時変化を示す図である。
【図８】Ｘ接点から出力される信号に基づいて発光装置の発光開始タイミングを決定する従来のカメラで撮影する際の、先幕遮光羽根群および後幕遮光羽根群の走行状態と、Ｘ接点から制御回路１０１に出力される信号の状態と、発光装置の発光状態との経時変化を示す図である。
【図９】第２の実施の形態の遮光羽根部４０１の内部の詳細を示す図である。
【図１０】第２の実施の形態の遮光羽根部４０１の内部の詳細を示す図である。
【図１１】撮影時における先幕遮光羽根群４１０および後幕遮光羽根群４２０の走行状態と、フォトリフレクタ４０５から制御回路１０１に出力される信号の状態と、発光装置１０５の発光状態との経時変化を示す図である。
【図１２】スリット露光が行われるように撮影される際の、先幕遮光羽根群４１０および後幕遮光羽根群４２０の走行状態と、フォトリフレクタ４０５から制御回路１０１に出力される信号の状態との経時変化を示す図である。
【発明を実施するための形態】
【０００８】
−−−第１の実施の形態−−−
図１〜８を参照して、本発明によるカメラおよびシャッタ装置の第１の実施の形態を説明する。図１は、本発明によるカメラである一眼レフタイプのカメラボディ１００とカメラボディ１００に装着する撮影レンズ１２０を示した斜視図である。カメラボディ１００にはレリーズボタン１０４と、被写体に光を照射する閃光装置（発光装置）１０５と、撮像素子であるＣＣＤ６９と、カメラボディ１００の各部を制御する制御回路１０１とが設けられている。図１では、発光装置１０５を使用しないときの状態を示している。発光装置１０５を使用するときには、図示はしないが、発光装置１０５の前方が上方に向かって起き上がる。
【０００９】
３０１は、撮影レンズ１２０からの被写体像をＣＣＤ６９に導くための撮影光路である。カメラボディ１００に撮影レンズ１２０を装着すると、レンズ側絞りレバー１２３とカメラ側の絞り連動レバー３２３の当接部３２３ａとが当接する。レンズ側絞りレバー１２３は、カメラ側の絞り連動レバー３２３により駆動されて所定の絞り値に制御される。なお、本実施の形態では、撮影レンズ１２０が取り付けられるカメラボディ１００の前方を正面と呼び、ＣＣＤ６９が設けられるカメラボディ１００の後方を背面と呼ぶ。また、カメラボディ１００の上下左右方向を各図に記載したように規定する。
【００１０】
図２は、カメラボディ１００に取り付けられるミラーボックスの斜視図である。ミラーボックス３００の内部にはメインミラー３２１とサブミラー３２２とが設けられている。ミラーボックス３００の側面の軸には、レンズ側絞りレバー１２３を駆動する絞り連動レバー３２３など、公知の各種レバーが回動可能に取り付けられている。さらにミラーボックス３００には、レンズ絞りを所定の絞り値に制御するための公知の絞り制御機構２００と、本発明によるシャッタ装置４００とが取り付けられる。
【００１１】
−−−シャッタ装置４００−−−
シャッタ装置４００は、被写体光の入射を禁止してＣＣＤ６９を遮光する閉状態と、被写体光の入射を許可してＣＣＤ６９に被写体像を導く開状態との間で開閉動作を行う先幕遮光羽根群および後幕遮光羽根群を有する機構であり、遮光羽根部４０１と、遮光羽根駆動部４０２とを有する（図２）。図２に示すように、シャッタ装置４００は、ＣＣＤ６９の前方に位置するようにミラーボックス３００の背面に取り付けられる。
【００１２】
図３〜６は、遮光羽根部４０１の内部の詳細を示す図である。図３（ａ），（ｂ）は、レリーズ開始前（撮影開始前）の遮光羽根部４０１の内部を背面から見た図である。図３（ａ）は、不図示のカバー板を外した状態を示す図であり、図３（ｂ）は、さらに後述する先幕遮光羽根群４１０や仕切板４０４を外した状態を示す図である。図４（ａ），（ｂ）は、レリーズ開始後、先幕遮光羽根群４１０が走行を開始してＣＣＤ６９に入射する被写体光を遮らなくなった時点における遮光羽根部４０１の内部を背面から見た図である。図４（ａ）は、不図示のカバー板を外した状態を示す図であり、図４（ｂ）は、さらに先幕遮光羽根群４１０や仕切板４０４を外した状態を示す図である。
【００１３】
図５（ａ），（ｂ）は、レリーズ開始後、後幕遮光羽根群が走行を開始してＣＣＤ６９に入射する被写体光を遮り始める直前の時点における遮光羽根部４０１の内部を背面から見た図である。図５（ａ）は、不図示のカバー板を外した状態を示す図であり、図５（ｂ）は、さらに先幕遮光羽根群４１０や仕切板４０４を外した状態を示す図である。図６（ａ），（ｂ）は、レリーズ開始後、後幕遮光羽根群４２０が走行し終えた時点における遮光羽根部４０１の内部を背面から見た図である。図６（ａ）は、不図示のカバー板を外した状態を示す図であり、図６（ｂ）は、さらに先幕遮光羽根群４１０や仕切板４０４を外した状態を示す図である。なお、図３〜６では、後述する先幕遮光羽根（先幕３番羽根）４１３および後幕遮光羽根（後幕３番羽根）４２３にハッチングを施している。
【００１４】
遮光羽根部４０１は、基板４０３と、先幕遮光羽根群４１０と、後幕遮光羽根群４２０と、先幕主アーム４１５と、先幕従動アーム４１６と、後幕主アーム４２５と、後幕従動アーム４２６と、仕切板４０４と、フォトリフレクタ４０５と、不図示のカバー板とを備えている。基板４０３は、シャッタ装置４００を構成する各部品が配設される基板であり、長穴４０３ｆ，４０３ｇ（図３，６参照）と、ＣＣＤ６９に被写体像を導く撮影開口４４１とが設けられている。基板４０３の正面側には、遮光羽根駆動部４０２が取り付けられている。基板４０３の背面側には、アーム回転軸４０３ｂ〜４０３ｅが植設されている。基板４０３の背面には、基板４０３の撮影開口４４１と略同形状の開口を有する仕切板４０４および不図示のカバー板が配設される（図４（ａ）参照）。
【００１５】
撮影開口４４１は、横長の矩形形状を呈している。すなわち、撮影開口４４１の上辺４４１ａおよび下辺４４１ｃの長さは、右辺４４１ｂおよび左辺４４１ｄの長さよりも長い。以下の説明では、上辺４４１ａおよび下辺４４１ｃを長辺とも呼び、右辺４４１ｂおよび左辺４４１ｄを短片とも呼ぶ、また、撮影開口４４１の上下方向（高さ方向）を短辺方向とも呼び、撮影開口４４１の左右方向を長辺方向とも呼ぶこととする。
【００１６】
先幕主アーム４１５および先幕従動アーム４１６は、アーム回転軸４０３ｂおよび４０３ｃに回動可能に軸支され、後幕主アーム４２５および後幕従動アーム４２６は、アーム回転軸４０３ｄおよび４０３ｅに回動可能に軸支されている。先幕主アーム４１５および先幕従動アーム４１６には、かしめピンによって先幕遮光羽根群４１０を構成する先幕遮光羽根４１１〜４１４が回動可能に取り付けられている。
【００１７】
先幕遮光羽根４１１を先幕１番羽根４１１とも呼び、先幕遮光羽根４１２を先幕２番羽根４１２とも呼び、先幕遮光羽根４１３を先幕３番羽根４１３とも呼び、先幕遮光羽根４１４を先幕４番羽根４１４とも呼ぶ。なお、撮影の際のスリット露光時に最も上側に位置する遮光羽根から順に、先幕１番羽根４１１、先幕２番羽根４１２、先幕３番羽根４１３、先幕４番羽根４１４とする。すなわち、スリット露光時のスリット間隔を規定する先幕遮光羽根を先幕１番羽根４１１と呼ぶ。
【００１８】
先幕遮光羽根４１１〜４１４は、撮影開口４４１の長辺と略平行に延在する部材であり、右辺４４１ｂ側の端部が先幕主アーム４１５および先幕従動アーム４１６に軸支されている。なお、先幕３番羽根４１３の左辺４４１ｄ側の端部には、左辺４４１ｄの外側で左辺４４１ｄの延在方向の上側に向かって延在するように、略９０度折り曲げられて延在する延在部４１３ａが設けられている。延在部４１３ａは、後述するように、連動して駆動される先幕遮光羽根４１１〜４１４の走行位置に応じてフォトリフレクタ４０５の出力信号を切り替える役割を果たす。
【００１９】
先幕主アーム４１５および先幕従動アーム４１６がアーム回転軸４０３ｂおよび４０３ｃを中心に回転駆動されると、先幕遮光羽根４１１〜４１４が連動して駆動される。すなわち、先幕主アーム４１５と先幕従動アーム４１６とによって構成される周知のリンク機構によって４枚の先幕遮光羽根４１１〜４１４が連動して駆動されて、基板４０３の撮影開口４４１を短辺方向に移動するように構成されている。なお、先幕主アーム４１５、先幕従動アーム４１６および先幕遮光羽根４１１〜４１４は、仕切板４０４と不図示のカバー板との間に配設されている。以下の説明では、先幕主アーム４１５、先幕従動アーム４１６および先幕遮光羽根４１１〜４１４によって構成される撮影開口４４１の遮光機構を先幕遮光機構と呼ぶ。
【００２０】
後幕主アーム４２５および後幕従動アーム４２６には、かしめピンによって後幕遮光羽根群４２０を構成する後幕遮光羽根４２１〜４２４が回動可能に取り付けられている（図６参照）。後幕遮光羽根４２１を後幕１番羽根４２１とも呼び、後幕遮光羽根４２２を後幕２番羽根４２２とも呼び、後幕遮光羽根４２３を後幕３番羽根４２３とも呼び、後幕遮光羽根４２４を後幕４番羽根４２４とも呼ぶ。なお、撮影の際のスリット露光時に最も下側に位置する遮光羽根から順に、後幕１番羽根４２１、後幕２番羽根４２２、後幕３番羽根４２３、後幕４番羽根４２４とする。すなわち、スリット露光時のスリット間隔を規定する後幕遮光羽根を後幕１番羽根４２１と呼ぶ。
【００２１】
後幕主アーム４２５および後幕従動アーム４２６がアーム回転軸４０３ｄおよび４０３ｅを中心に回転駆動されると、後幕遮光羽根４２１〜４２４が連動して駆動される。すなわち、後幕主アーム４２５と後幕従動アーム４２６とによって構成される周知のリンク機構によって４枚の後幕遮光羽根４２１〜４２４が連動して駆動されて、基板４０３の撮影開口４４１を短辺方向に移動するように構成されている。なお、後幕主アーム４２５、後幕従動アーム４２６および後幕遮光羽根４２１〜４２４は、基板４０３と仕切板４０４との間に配設されている。以下の説明では、後幕主アーム４２５、後幕従動アーム４２６および後幕遮光羽根４２１〜４２４によって構成される撮影開口４４１の遮光機構を後幕遮光機構と呼ぶ。
【００２２】
後幕遮光機構は先幕遮光機構と同じ部品から構成されている。すなわち、先幕主アーム４１５は、後幕主アーム４２５と同じ部品であり、先幕従動アーム４１６は、後幕従動アーム４２６と同じ部品である。先幕１番羽根４１１は、後幕１番羽根４２１と同じ部品であり、先幕２番羽根４１２は、後幕２番羽根４２２と同じ部品であり、先幕３番羽根４１３は、後幕３番羽根４２３と同じ部品であり、先幕４番羽根４１４は、後幕４番羽根４２４と同じ部品である。後幕遮光機構は先幕遮光機構と同じ部品を、表裏面が反対向きにされて取り付けられている。したがって、後幕３番羽根４２３の左辺４４１ｄ側の端部には、左辺４４１ｄの外側で左辺４４１ｄの延在方向の下側に向かって延在するように、略９０度折り曲げられて延在する延在部４２３ａが設けられることとなる。延在部４２３ａは、後述するように、連動して駆動される後幕遮光羽根４２１〜４２４の走行位置に応じてフォトリフレクタ４０５の出力信号を切り替える役割を果たす。
【００２３】
先幕主アーム４１５および後幕主アーム４２５には、穴４１５ａ，４２５ａが設けられ（図２）、長穴４０３ｆ，４０３ｇを貫通した遮光羽根駆動部４０２の連動ピン２４，３５が正面側から挿入される。連動ピン２４，３５は、遮光羽根駆動部４０２の不図示の先幕駆動レバーおよび後幕駆動レバーによって駆動される。穴４１５ａ，４２５ａに嵌合する連動ピン２４，３５が長穴４０３ｆ，４０３ｇに沿って駆動されると、先幕主アーム４１５および後幕主アーム４２５がアーム回転軸４０３ｂおよび４０３ｄを中心に旋回されるので、上述のように、先幕遮光羽根４１１〜４１４および後幕遮光羽根４２１〜４２４が連動して駆動される。
【００２４】
先幕遮光羽根４１１〜４１４および後幕遮光羽根４２１〜４２４の駆動範囲は、それぞれ後述する連動ピン２４，３５の駆動範囲によって決定されるが、撮影開始前の撮影開口４４１の遮蔽時には、図３（ａ），（ｂ）に示す状態となる。すなわち、先幕遮光羽根４１１〜４１４は、撮影開口４４１を遮蔽する位置で停止される。後幕遮光羽根４２１〜４２４は、撮影開口４４１の上辺４４１ａよりも上方まで上がった位置で停止される。
【００２５】
撮影開始後に撮影開口４４１を完全に開放する時には、図４（ａ），（ｂ）および図５（ａ），（ｂ）に示す状態の途中の状態（不図示）となる。すなわち、先幕遮光羽根４１１〜４１４は、撮影開口４４１の下辺４４１ｃよりも下方まで下がった位置まで走行して停止する。後幕遮光羽根４２１〜４２４は、撮影開口４４１の上辺４４１ａよりも上方まで上がった位置で停止したままとなる。
【００２６】
撮影開始後に後幕遮光羽根群４２０が走行し終えて、撮影開口４４１を再び遮蔽する時には、図６（ａ），（ｂ）に示す状態となる。すなわち、先幕遮光羽根４１１〜４１４は、撮影開口４４１の下辺４４１ｃよりも下方まで下がった位置まで走行して停止したまとなる。後幕遮光羽根４２１〜４２４は、撮影開口４４１を遮蔽する位置まで下方に走行して停止する。
【００２７】
フォトリフレクタ４０５は、たとえば図３（ｂ）に示すように、赤外光の発光部４０５ａと受光部４０５ｂとを有する一体型のセンサである。フォトリフレクタ４０５は、発光部４０５ａから照射された赤外光の反射光を受光部４０５ｂで検出すると制御回路１０１にＬｏｗ信号を出力し、発光部４０５ａから照射された赤外光の反射光を受光部４０５ｂで検出できなくなると制御回路１０１にＨｉｇｈ信号を出力する。なお、不図示のカバー板には、発光部４０５ａから照射された赤外光を反射する不図示の反射部が設けられている。フォトリフレクタ４０５は、左辺４４１ｄの外側で左辺４４１ｄの高さ方向の略中央に設けられている。
【００２８】
−−−撮影時におけるフォトリフレクタ４０５の出力信号の変化について−−−
上述したように、延在部４１３ａ，４２３ａは、連動して駆動される先幕遮光羽根４１１〜４１４および後幕遮光羽根４２１〜４２４の走行位置に応じてフォトリフレクタ４０５の出力信号を切り替える。以下、図３〜６を参照して具体的に説明する。レリーズ開始前（撮影開始前）には、図３（ａ），（ｂ）に示すように、先幕遮光羽根４１１〜４１４が撮影開口４４１を遮蔽する位置で停止している。このとき、先幕３番羽根４１３の延在部４１３ａがフォトリフレクタ４０５の背面側に位置して、発光部４０５ａからカバー板の反射部に向かって照射される赤外光を遮蔽する。これにより、発光部４０５ａから照射された赤外光の反射光が受光部４０５ｂで検出できないので、フォトリフレクタ４０５は、制御回路１０１にＨｉｇｈ信号を出力する。なお、レリーズ開始前には、後幕遮光羽根４２１〜４２４は、撮影開口４４１の上辺４４１ａよりも上方まで上がった位置で停止している。このとき、後幕３番羽根４２３の延在部４２３ａは、フォトリフレクタ４０５の配設位置よりも上方に位置するので、発光部４０５ａからカバー板の反射部に向かって照射される赤外光を遮蔽しない。
【００２９】
レリーズボタン１０４が全押し操作されて撮影が開始される。以下の説明では、特に明示をしない限り、シャッタ秒時があまり短くなく、撮影時に撮影開口４４１が完全に開放される期間があることを前提に説明する。すなわち、スリット露光が行われないことを前提に説明する。撮影が開始されて先幕遮光羽根群４１０が下方に向かって走行を開始すると、先幕１番羽根４１１がＣＣＤ６９に入射する被写体光を全く遮らなくなった直後に先幕３番羽根４１３の延在部４１３ａの上端がフォトリフレクタ４０５の配設位置近傍にまで下がり、発光部４０５ａからカバー板の反射部に向かって照射される赤外光、および、カバー板の反射部で反射されて受光部４０５ｂへ向かう赤外光を遮蔽しなくなる（図４（ａ））。
【００３０】
なお、この時点では、後幕遮光羽根４２１〜４２４は、撮影開口４４１の上辺４４１ａよりも上方まで上がった位置で停止している（図４（ｂ））。そのため、後幕３番羽根４２３の延在部４２３ａは、発光部４０５ａからカバー板の反射部に向かって照射される赤外光、および、カバー板の反射部で反射されて受光部４０５ｂへ向かう赤外光を遮蔽しない。したがって、発光部４０５ａから照射された赤外光の反射光が受光部４０５ｂで検出できるようになるので、フォトリフレクタ４０５は、制御回路１０１にＬｏｗ信号を出力する。
【００３１】
すなわち、先幕遮光羽根群４１０が下方に向かって走行を開始して、先幕１番羽根４１１がＣＣＤ６９に入射する被写体光を全く遮らなくなった直後に、フォトリフレクタ４０５から制御回路１０１に出力される信号がＨｉｇｈ信号からＬｏｗ信号へと切り替わる。換言すると、先幕遮光羽根群４１０が下方に向かって走行を開始して、先幕１番羽根４１１がＣＣＤ６９に入射する被写体光を全く遮らなくなった直後に（ＣＣＤ６９の撮像に有効な範囲内に入射する被写体光に干渉せず撮像して得られる画像に影響を与えなくなった直後に）、フォトリフレクタ４０５から制御回路１０１に出力される信号がＨｉｇｈ信号からＬｏｗ信号へと切り替わるように、延在部４１３ａの形状が定められている。このように、本実施の形態では、フォトリフレクタ４０５で先幕３番羽根４１３の位置を直接検出することによって、先幕１番羽根４１１がＣＣＤ６９に入射する被写体光を遮らなくなったタイミングを精度よく検出する。
【００３２】
その後、さらに先幕遮光羽根群４１０が下方に向かって走行すると、先幕遮光羽根４１１〜４１４は、上述したように撮影開口４４１の下辺４４１ｃよりも下方まで下がった位置まで走行して停止する。次いで、後幕遮光羽根群４２０が下方に向かって走行を開始する。後幕遮光羽根４２１〜４２４が下方に向かって走行を開始して、最も下側に位置する後幕１番羽根４２１がＣＣＤ６９に入射する被写体光を遮り始める直前に、後幕３番羽根４２３の延在部４２３ａの下端がフォトリフレクタ４０５の配設位置近傍にまで下がり、発光部４０５ａからカバー板の反射部に向かって照射される赤外光、および、カバー板の反射部で反射されて受光部４０５ｂへ向かう赤外光の少なくとも一方を遮蔽する（図５（ｂ））。
【００３３】
なお、この時点では、先幕遮光羽根４１１〜４１４は、上述したように既に撮影開口４４１の下辺４４１ｃよりも下方まで下がった位置に到達して停止している（図５（ａ））。そのため、先幕３番羽根４１３の延在部４１３ａは、発光部４０５ａからカバー板の反射部に向かって照射される赤外光、および、カバー板の反射部で反射されて受光部４０５ｂへ向かう赤外光を遮蔽しない。しかし、上述したように、後幕３番羽根４２３の延在部４２３ａの下端がフォトリフレクタ４０５の配設位置近傍にまで下がり、発光部４０５ａから照射された赤外光の反射光が受光部４０５ｂで検出できなくなるので、フォトリフレクタ４０５は、制御回路１０１にＨｉｇｈ信号を出力する。
【００３４】
すなわち、後幕遮光羽根群４２０が下方に向かって走行を開始して、後幕１番羽根４２１がＣＣＤ６９に入射する被写体光を遮り始める直前に、フォトリフレクタ４０５から制御回路１０１に出力される信号がＬｏｗ信号からＨｉｇｈ信号へと切り替わる。換言すると、後幕遮光羽根群４２０が下方に向かって走行を開始して、後幕１番羽根４２１がＣＣＤ６９に入射する被写体光を遮り始める直前に（ＣＣＤ６９の撮像に有効な範囲内に入射する被写体光に干渉して撮像して得られる画像に影響を与え始める直前に）、フォトリフレクタ４０５から制御回路１０１に出力される信号がＬｏｗ信号からＨｉｇｈ信号へと切り替わるように、延在部４２３ａの形状が定められている。このように、本実施の形態では、フォトリフレクタ４０５で後幕３番羽根４２３の位置を直接検出することによって、後幕１番羽根４２１がＣＣＤ６９に入射する被写体光を遮り始めるタイミングを精度よく検出する。
【００３５】
その後、さらに後幕遮光羽根群４２０が下方に向かって走行すると、後幕遮光羽根４２１〜４２４は、上述したように撮影開口４４１を遮蔽する位置まで下方に走行して停止する（図６（ｂ））。このとき、後幕３番羽根４２３の延在部４２３ａがフォトリフレクタ４０５の背面側に位置して、発光部４０５ａからカバー板の反射部に向かって照射される赤外光を遮蔽する。これにより、発光部４０５ａから照射された赤外光の反射光が受光部４０５ｂで検出できないので、フォトリフレクタ４０５から制御回路１０１に出力される信号はＨｉｇｈ信号のままとなる。
【００３６】
次いで、先幕遮光機構および後幕遮光機構のリセット動作が行われる。リセット動作の際には、先幕遮光羽根群４１０および後幕遮光羽根群４２０が略同時に上方に向かってリセットされる。このとき、図示はしないが、延在部４１３ａと延在部４２３ａとが一部重なり合ったままリセットされるので、延在部４１３ａおよび延在部４２３ａの少なくとも一方が発光部４０５ａからカバー板の反射部に向かって照射する赤外光を遮蔽する。これにより、リセット動作中には、発光部４０５ａから照射された赤外光の反射光が受光部４０５ｂで検出できないので、フォトリフレクタ４０５から制御回路１０１に出力される信号はＨｉｇｈ信号のままとなる。リセット動作が終了すると、上述した図３（ａ），（ｂ）に示すレリーズ開始前の状態に戻るので、フォトリフレクタ４０５から制御回路１０１に出力される信号はＨｉｇｈ信号のままとなる。
【００３７】
図７は、撮影時における先幕遮光羽根群４１０および後幕遮光羽根群４２０の走行状態と、フォトリフレクタ４０５から制御回路１０１に出力される信号の状態と、発光装置１０５の発光状態（明るさ）との経時変化を示す図である。図７では横軸が経過時間示す。なお、図７において、「画面範囲」とは、先幕遮光羽根群４１０および後幕遮光羽根群４２０がＣＣＤ６９に入射する被写体光を全く遮らない範囲を指す。また、「画面全開」とは、先幕遮光羽根群４１０および後幕遮光羽根群４２０がＣＣＤ６９に入射する被写体光を全く遮らない期間を指す。図８においても同様である。図７において、「ＰＲ出力」とは、フォトリフレクタ４０５の出力のことを指す。上述したように、レリーズ開始前には、フォトリフレクタ４０５は、制御回路１０１にＨｉｇｈ信号を出力する。レリーズ開始後、上述したように、先幕１番羽根４１１がＣＣＤ６９に入射する被写体光を全く遮らなくなった直後に、フォトリフレクタ４０５から制御回路１０１に出力される信号がＨｉｇｈ信号からＬｏｗ信号へと切り替わる。
【００３８】
制御回路１０１は、フォトリフレクタ４０５から出力される信号がＨｉｇｈ信号からＬｏｗ信号へと切り替わると、発光装置１０５の発光制御のための制御信号（発光開始信号）を生成し、生成した発光開始信号を発光装置１０５の発光を制御する不図示の発光制御装置に出力する。発光制御装置は、発光開始信号を受信すると発光装置１０５の発光を開始させる。これにより、先幕１番羽根４１１がＣＣＤ６９に入射する被写体光を全く遮らなくなった直後に発光装置１０５が発光し始める。
【００３９】
その後、上述したように、後幕遮光羽根群４２０が下方に向かって走行を開始して、後幕１番羽根４２１がＣＣＤ６９に入射する被写体光を遮り始める直前に、フォトリフレクタ４０５から制御回路１０１に出力される信号がＬｏｗ信号からＨｉｇｈ信号へと切り替わる。
【００４０】
制御回路１０１は、フォトリフレクタ４０５から出力される信号がＬｏｗ信号からＨｉｇｈ信号へと切り替わると、発光装置１０５の発光制御のための制御信号（発光停止信号）を生成し、生成した発光停止信号を不図示の発光制御装置に出力する。発光制御装置は、発光停止信号を受信すると発光装置１０５の発光を停止させる。これにより、後幕１番羽根４２１がＣＣＤ６９に入射する被写体光を遮り始める直前に発光装置１０５の発光が停止する。
【００４１】
図８は、Ｘ接点から出力される信号に基づいて発光装置の発光開始タイミングを決定する従来のカメラで撮影する際の、先幕遮光羽根群および後幕遮光羽根群の走行状態と、Ｘ接点から制御回路１０１に出力される信号の状態と、発光装置の発光状態との経時変化を示す図である。図８では、横軸が経過時間を示す。このような従来のカメラでは、上述した遮光羽根駆動部４０２の不図示の先幕駆動レバーに対応するレバー（以下、従来技術の先幕駆動レバーと呼ぶ）の回動位置を検出するリーフスイッチがＸ接点を構成している。従来のカメラでも、先幕１番羽根４１１に相当する羽根が撮像素子に入射する被写体光を全く遮らなくなってからＸ接点の出力信号が切り替わるように構成する必要がある。
【００４２】
しかし、従来のカメラでは、Ｘ接点の取り付け位置の精度やＸ接点を構成するリーフスイッチの接点間の距離の精度、従来技術の先幕駆動レバーから先幕までの動力伝達経路のがたつきなどを考慮する必要がある。そのため、先幕１番羽根４１１に相当する羽根が撮像素子に入射する被写体光を全く遮らなくなってからＸ接点の出力信号が切り替わるまでにある程度のマージン（時間）が必要である。
【００４３】
また、従来のカメラでは、発光装置の発光停止後に後幕１番羽根４２１に相当する羽根が撮像素子に入射する被写体光を遮り始めるように構成する必要がある。しかし、後幕遮光羽根群の動き始めから後幕１番羽根４２１に相当する羽根が撮像素子に入射する被写体光を遮り始めるまでの時間にもばらつきがあるため、発光装置の発光停止後に後幕１番羽根４２１に相当する羽根が撮像素子に入射する被写体光を遮り始めるまでにある程度のマージン（時間）が必要である。このように、従来のカメラでは、発光装置が発光している期間の前後に上述したようなマージンが必要であるので、発光装置の発光と同調可能なシャッタ秒時の短縮化が困難であった。
【００４４】
これに対して本実施の形態では、上述したように、フォトリフレクタ４０５で先幕３番羽根４１３および後幕３番羽根４２３の位置を直接検出している。従来技術の先幕駆動レバーの回動量（移動量）よりも先幕３番羽根４１３および後幕３番羽根４２３の移動量が大きいので、先幕３番羽根４１３および後幕３番羽根４２３とともに移動する先幕１番羽根４１１および後幕１番羽根４２１の位置の検出精度を向上できる。これにより、先幕１番羽根４１１がＣＣＤ６９に入射する被写体光を全く遮らなくなった時点から発光装置１０５の発光開始までの時間、および、発光装置１０５の発光停止から後幕１番羽根４２１がＣＣＤ６９に入射する被写体光を遮り始めるまでの時間を短縮化できる。したがって、従来のカメラと比べて、発光装置１０５の発光と同調可能なシャッタ秒時を短縮化できる。このように発光装置１０５の発光と同調可能なシャッタ秒時を短縮することで、たとえば、日中シンクロ撮影のように、被写体や環境光の明るさが明るい場合であっても、シャッタ秒時を短くすることで、絞りを開き気味にして被写界深度を浅くすることであえてボケ味を出すような画像を得ることができるようになる。
【００４５】
上述した第１の実施の形態のカメラでは、次の作用効果を奏する。
（１）  上述したように、１つのフォトリフレクタ４０５で先幕３番羽根４１３および後幕３番羽根４２３の位置を直接検出し、検出した結果に基づいて制御回路１０１が発光装置１０５の発光制御のための制御信号を生成して出力するように構成した。これにより、先幕３番羽根４１３および後幕３番羽根４２３と連動する先幕１番羽根４１１および後幕１番羽根４２１の位置の検出精度を向上でき、発光装置１０５の発光と同調可能なシャッタ秒時を短縮化できる。したがって、シンクロ撮影時に設定可能なシャッタ秒時の範囲を拡大でき、様々な撮影シーンにおいてユーザの意図する画像を得ることができる。
【００４６】
（２）  各アーム４１５，４２５，４１６，４２６が設けられている撮影開口４４１の右辺４４１ｂ側とは反対側である左辺４４１ｄの外側にフォトリフレクタ４０５を設けるように構成した。また、フォトリフレクタ４０５を左辺４４１ｄの外側で左辺４４１ｄの高さ方向略中央に設けるように構成した。これにより、各アーム４１５，４２５，４１６，４２６に邪魔されずに１つのフォトリフレクタ４０５で先幕３番羽根４１３および後幕３番羽根４２３の双方の位置を直接検出できる。したがって、先幕３番羽根４１３の位置検出用と後幕３番羽根４２３の位置検出用との２つのフォトリフレクタ４０５を設けなくてもよいので、コスト増を抑制できる。
【００４７】
（３）  先幕３番羽根４１３および後幕３番羽根４２３の左辺４４１ｄ側の端部に、左辺４４１ｄの延在方向に向かって延在する延在部４１３ａ，４２３ａを設けるように構成した。これにより、先幕３番羽根４１３および後幕３番羽根４２３の左辺４４１ｄ側の端部の形状を変更するだけでフォトリフレクタ４０５の配設位置から離れた位置で被写体光を遮っている先幕３番羽根４１３および後幕３番羽根４２３の位置を１つのフォトリフレクタ４０５で直接検出できるようになるので、コスト増を抑制できる。
【００４８】
（４）  先幕遮光機構と後幕遮光機構とを同じ部品で構成した。これにより、先幕遮光機構と後幕遮光機構とで異なる部品を用意する必要がなくなるので、コスト増を抑制できるとともに、遮光羽根部４０１の製造に際して管理する部品の種類を減らすことができ、製造管理上も有利である。また、先幕遮光機構と後幕遮光機構とで駆動に係る慣性モーメントが一致するので、遮光羽根駆動部４０２における先幕遮光機構を駆動するためのバネと、後幕遮光機構を駆動するバネとで、同じバネ定数のバネを使用して、先幕遮光羽根群４１０および後幕遮光羽根群４２０の走行速度を一致させることができる。これにより、ＣＣＤ６９の上下方向の位置の違いによって露光時間が変わってしまうという不具合を防止でき、撮像して得られる被写体像の画像の画質を向上できる。
【００４９】
（５）  仮に、後幕１番羽根４２１の左辺４４１ｄ側の端部に延在部４２３ａと同様の延在部を設け、この延在部の位置をフォトリフレクタ４０５で検出するように構成した場合には、後幕遮光羽根群４２０の走行に際して後幕１番羽根４２１の移動距離が後幕３番羽根４２３の移動距離よりも多くなるので、後幕遮光羽根群４２０で撮影開口４４１を遮光すると、延在部の下端が大きく下方に飛び出してしまう。そのため、遮光羽根部４０１が上下方向に大きくなってしまう。また、移動量が多い後幕１番羽根４２１の慣性モーメントが増加するので、シャッタ秒時を短縮する上で不利になる。
【００５０】
仮に、後幕４番羽根４２４の左辺４４１ｄ側の端部に延在部４２３ａと同様の延在部を設け、この延在部の位置をフォトリフレクタ４０５で検出するように構成した場合には、後幕遮光羽根群４２０の走行に際して後幕４番羽根４２４の移動距離が後幕３番羽根４２３の移動距離よりも少なくなるので、後幕１番羽根４２１の位置の検出精度の点で不利となる。したがって、本実施の形態のように、先幕遮光羽根４１１〜４１４および後幕遮光羽根４２１〜４２４のうち、先幕３番羽根４１３および後幕３番羽根４２３の位置をフォトリフレクタ４０５で検出するように構成することで、上記のような不都合を解消できる。なお、本実施の形態では、先幕３番羽根４１３および後幕３番羽根４２３の位置をフォトリフレクタ４０５で検出するように構成したが、上記の点から、先幕２番羽根４１２および後幕２番羽根４２２の位置をフォトリフレクタ４０５で検出するように構成してもよい。
【００５１】
−−−第２の実施の形態−−−
図９〜１２を参照して、本発明によるカメラおよびシャッタ装置の第２の実施の形態を説明する。以下の説明では、第１の実施の形態と同じ構成要素には同じ符号を付して相違点を主に説明する。特に説明しない点については、第１の実施の形態と同じである。本実施の形態では、主に、延在部４１３ａ，４２３ａに後述する切り欠き部４１３ｂ，４２３ｂが設けられている点で、第１の実施の形態と異なる。
【００５２】
図９，１０は、遮光羽根部４０１の内部の詳細を示す図である。図９（ａ），（ｂ）は、レリーズ開始前（撮影開始前）の遮光羽根部４０１の内部を背面から見た図である。図９（ａ）は、不図示のカバー板を外した状態を示す図であり、図９（ｂ）は、さらに先幕遮光羽根群４１０や仕切板４０４を外した状態を示す図である。図１０（ａ），（ｂ）は、レリーズ開始後、スリット露光を行うように先幕遮光羽根群４１０および後幕遮光羽根群４２０が走行を開始してＣＣＤ６９の高さ方向中央付近に被写体光が入射するようにスリットが形成されているときの遮光羽根部４０１の内部を背面から見た図である。図１０（ａ）は、不図示のカバー板を外した状態を示す図であり、図１０（ｂ）は、さらに先幕遮光羽根群４１０や仕切板４０４を外した状態を示す図である。なお、図９（ａ），（ｂ）および図１０（ａ）では、先幕３番羽根４１３および後幕３番羽根４２３にハッチングを施している。図１０（ｂ）では、先幕１番羽根４１１の上端および後幕１番羽根４２１の下端で形成されるスリット部分４５１（撮影開口４４１に掛かる部分４５１ａおよびフォトリフレクタ４０５に掛かる部分４５１ｂのみ）にハッチングを施している。
【００５３】
延在部４１３ａには切り欠き部４１３ｂが、延在部４２３ａには切り欠き部４２３ｂが設けられている。切り欠き部４１３ｂ，４２３ｂは、切り欠き部４１３ｂ，４２３ｂの右側が所定の高さ分だけ切り欠かれた部位である。切り欠き部４１３ｂ，４２３ｂの高さ方向（上下方向）距離および左右方向距離は、スリット露光が行われているときに、特にシャッタ秒時が最短シャッタ秒時や最短シャッタ秒時近傍に設定されているときに、先幕１番羽根４１１の上端の位置および後幕１番羽根４２１の下端の位置がフォトリフレクタ４０５で検出できるように適宜定められている。すなわち、シャッタ秒時が最短シャッタ秒時や最短シャッタ秒時近傍に設定されてスリット露光が行われているときに、先幕１番羽根４１１の上端および後幕１番羽根４２１の下端で形成されるスリット部分の通過がフォトリフレクタ４０５で検出できるように切り欠き部４１３ｂ，４２３ｂの上下方向距離および左右方向距離が適宜定められている（図１０（ａ），（ｂ））。なお、上述した最短シャッタ秒時は、撮影時にユーザが設定可能な最短シャッタ秒時であってもよく、たとえばユーザ側では設定できないものの、カメラのアフターサービス部門でシャッタ秒時の調整時に設定可能であるなどの、機構上、最短となるシャッタ秒時であってもよい。
【００５４】
なお、各遮光羽根４１１〜４１４，４２１〜４２４は、そのリンクの構成上、上下方向への走行時に左右方向へも移動する。そのため、切り欠き部４１３ｂ，４２３ｂが延在部４１３ａ，４２３ａの右側に所定の高さ分だけ設けられていれば、上述のように、シャッタ秒時が最短シャッタ秒時や最短シャッタ秒時近傍に設定されてスリット露光が行われているときには、切り欠き部４１３ｂ，４２３ｂが互いに重なってフォトリフレクタ４０５の背面側に位置するようになる。そのため、延在部４１３ａ，４２３ａが発光部４０５ａからの照射光および反射部からの反射光を遮蔽せず、先幕１番羽根４１１の上端の位置および後幕１番羽根４２１の下端の位置がフォトリフレクタ４０５で検出できるようになる。
【００５５】
このように、シャッタ秒時が最短シャッタ秒時や最短シャッタ秒時近傍に設定されてスリット露光が行われているときに、スリット部分の通過がフォトリフレクタ４０５で検出できるようにすることで、フォトリフレクタ４０５を利用してＣＣＤ６９の実際の露光時間（実際のシャッタ秒時）を検出できる。そして、検出した実際のシャッタ秒時と、設定されたシャッタ秒時との差に基づいて、公知のようにシャッタ秒時の調節をすることもできる。すなわち、フォトリフレクタ４０５をいわゆるシャッタモニタとして利用できる。換言すると、従来からシャッタモニタとして用いられるフォトリフレクタを利用して、上述した第１の実施の形態および第２の実施の形態のように、発光装置１０５の発光制御を行うことができる。
【００５６】
−−−撮影時におけるフォトリフレクタ４０５の出力信号の変化について−−−
このように構成されるシャッタ装置４００では、シャッタ秒時があまり短くなく、撮影時に撮影開口４４１が完全に開放される場合には、フォトリフレクタ４０５から制御回路１０１に出力される信号の状態が図１１に示すように経時的に変化する。レリーズ開始前（撮影開始前）には、図９（ａ），（ｂ）に示すように、先幕遮光羽根４１１〜４１４が撮影開口４４１を遮蔽する位置で停止している。このとき、先幕３番羽根４１３の延在部４１３ａの下側の部分がフォトリフレクタ４０５の背面側に位置して、発光部４０５ａからカバー板の反射部に向かって照射される赤外光を遮蔽する。これにより、発光部４０５ａから照射された赤外光の反射光が受光部４０５ｂで検出できないので、フォトリフレクタ４０５は、制御回路１０１にＨｉｇｈ信号を出力する。なお、レリーズ開始前には、後幕遮光羽根４２１〜４２４は、撮影開口４４１の上辺４４１ａよりも上方まで上がった位置で停止している。このとき、後幕３番羽根４２３の延在部４２３ａは、フォトリフレクタ４０５の配設位置よりも上方に位置するので、発光部４０５ａからカバー板の反射部に向かって照射される赤外光を遮蔽しない。
【００５７】
レリーズボタン１０４が全押し操作されて撮影が開始される。撮影が開始されて先幕遮光羽根群４１０が下方に向かって走行を開始すると、先幕１番羽根４１１が撮影開口４４１の範囲内を走行しているときに切り欠き部４１３ｂがフォトリフレクタ４０５の背面側に位置するようになる。そのため、延在部４１３ａが発光部４０５ａからの照射光および反射部からの反射光を遮蔽しなくなる。この時点では、後幕遮光羽根４２１〜４２４は、撮影開口４４１の上辺４４１ａよりも上方まで上がった位置で停止している。これにより、図１１の符号Ａで示すようにフォトリフレクタ４０５から制御回路１０１に出力される信号がＨｉｇｈ信号からＬｏｗ信号へと切り替わる。
【００５８】
さらに先幕１番羽根４１１が下方に向かって走行すると、切り欠き部４１３ｂがフォトリフレクタ４０５の背面よりも下側に位置するようになる。そのため、延在部４１３ａの上側の部分が発光部４０５ａからカバー板の反射部に向かって照射される赤外光を再び遮蔽する。これにより、図１１の符号Ｂで示すようにフォトリフレクタ４０５から制御回路１０１に出力される信号がＬｏｗ信号からＨｉｇｈ信号へと切り替わる。
【００５９】
その後、さらに先幕１番羽根４１１が下方に向かって走行すると、上述した第１の実施の形態と同様に、先幕１番羽根４１１がＣＣＤ６９に入射する被写体光を全く遮らなくなった直後に、図１１の符号Ｃで示すようにフォトリフレクタ４０５から制御回路１０１に出力される信号がＨｉｇｈ信号からＬｏｗ信号へと切り替わる。
【００６０】
その後、さらに先幕遮光羽根群４１０が下方に向かって走行すると、先幕遮光羽根４１１〜４１４は、上述したように撮影開口４４１の下辺４４１ｃよりも下方まで下がった位置まで走行して停止する。次いで、後幕遮光羽根群４２０が下方に向かって走行を開始する。後幕遮光羽根４２１〜４２４が下方に向かって走行を開始して、最も下側に位置する後幕１番羽根４２１がＣＣＤ６９に入射する被写体光を遮り始める直前に、後幕３番羽根４２３の延在部４２３ａの下端がフォトリフレクタ４０５の配設位置近傍にまで下がり、発光部４０５ａからカバー板の反射部に向かって照射される赤外光、および、カバー板の反射部で反射されて受光部４０５ｂへ向かう赤外光の少なくとも一方を遮蔽する。
【００６１】
なお、この時点では、先幕遮光羽根４１１〜４１４は、上述した第１の実施の形態と同様に既に撮影開口４４１の下辺４４１ｃよりも下方まで下がった位置に到達して停止している。そのため、先幕３番羽根４１３の延在部４１３ａは、発光部４０５ａからカバー板の反射部に向かって照射される赤外光、および、カバー板の反射部で反射されて受光部４０５ｂへ向かう赤外光を遮蔽しない。しかし、上述したように、後幕３番羽根４２３の延在部４２３ａの下端がフォトリフレクタ４０５の配設位置近傍にまで下がり、発光部４０５ａから照射された赤外光の反射光が受光部４０５ｂで検出できなくなるので、図１１の符号Ｄで示すようにフォトリフレクタ４０５は、制御回路１０１にＨｉｇｈ信号を出力する。
【００６２】
その後、さらに後幕遮光羽根群４２０が下方に向かって走行すると、後幕１番羽根４２１が撮影開口４４１を完全に遮蔽する前に切り欠き部４２３ｂがフォトリフレクタ４０５の背面側に位置するようになる。そのため、延在部４２３ａが発光部４０５ａからの照射光および反射部からの反射光を遮蔽しなくなる。この時点では、先幕遮光羽根４１１〜４１４は、上述した第１の実施の形態と同様に既に撮影開口４４１の下辺４４１ｃよりも下方まで下がった位置に到達して停止している。これにより、図１１の符号Ｅで示すようにフォトリフレクタ４０５から制御回路１０１に出力される信号がＨｉｇｈ信号からＬｏｗ信号へと切り替わる。
【００６３】
その後、さらに後幕遮光羽根群４２０が下方に向かって走行すると、後幕１番羽根４２１が撮影開口４４１を完全に遮蔽する前に切り欠き部４２３ｂがフォトリフレクタ４０５の背面よりも下側に位置するようになる。そのため、延在部４２３ａの上側の部分が発光部４０５ａからカバー板の反射部に向かって照射される赤外光を再び遮蔽する。そのため、図１１の符号Ｆで示すようにフォトリフレクタ４０５から制御回路１０１に出力される信号がＬｏｗ信号からＨｉｇｈ信号へと切り替わる。
【００６４】
その後、さらに後幕遮光羽根群４２０が下方に向かって走行すると、後幕遮光羽根４２１〜４２４は、上述した第１の実施に形態と同様に撮影開口４４１を遮蔽する位置まで下方に走行して停止する。このとき、後幕３番羽根４２３の延在部４２３ａの上側の部分がフォトリフレクタ４０５の背面側に位置して、発光部４０５ａからカバー板の反射部に向かって照射される赤外光を遮蔽する。これにより、発光部４０５ａから照射された赤外光の反射光が受光部４０５ｂで検出できないので、フォトリフレクタ４０５から制御回路１０１に出力される信号はＨｉｇｈ信号のままとなる。
【００６５】
次いで、先幕遮光機構および後幕遮光機構のリセット動作が行われる。リセット動作の際には、先幕遮光羽根群４１０および後幕遮光羽根群４２０が略同時に上方に向かってリセットされる。このとき、図示はしないが、延在部４１３ａと延在部４２３ａとが一部重なり合ったまま、かつ、切り欠き部４１３ｂと切り欠き部４２３ｂとが重ならないようにリセットされるので、延在部４１３ａおよび延在部４２３ａの少なくとも一方が発光部４０５ａからカバー板の反射部に向かって照射する赤外光を遮蔽する。これにより、リセット動作中には、発光部４０５ａから照射された赤外光の反射光が受光部４０５ｂで検出できないので、フォトリフレクタ４０５から制御回路１０１に出力される信号はＨｉｇｈ信号のままとなる。リセット動作が終了すると、上述した図９（ａ），（ｂ）に示すレリーズ開始前の状態に戻るので、フォトリフレクタ４０５から制御回路１０１に出力される信号はＨｉｇｈ信号のままとなる。
【００６６】
制御回路１０１は、フォトリフレクタ４０５から出力される信号が２回目にＨｉｇｈ信号からＬｏｗ信号へと切り替わると（図１１の符号Ｂで示したＨｉｇｈ信号が符号Ｃで示したＬｏｗ信号へと切り替わると）、発光開始信号を生成し、生成した発光開始信号を発光装置１０５の発光を制御する不図示の発光制御装置に出力する。発光制御装置は、発光開始信号を受信すると発光装置１０５の発光を開始させる。これにより、先幕１番羽根４１１がＣＣＤ６９に入射する被写体光を全く遮らなくなった直後に発光装置１０５が発光し始める。
【００６７】
その後、上制御回路１０１は、フォトリフレクタ４０５から出力される信号がＬｏｗ信号からＨｉｇｈ信号へと切り替わると（図１１の符号Ｃで示したＬｏｗ信号が符号Ｄで示したＨｉｇｈ信号へと切り替わると）、発光停止信号を生成し、生成した発光停止信号を不図示の発光制御装置に出力する。発光制御装置は、発光停止信号を受信すると発光装置１０５の発光を停止させる。これにより、後幕１番羽根４２１がＣＣＤ６９に入射する被写体光を遮り始める直前に発光装置１０５の発光が停止する。
【００６８】
−−−スリット露光撮影時におけるフォトリフレクタ４０５の出力信号の変化−−−
スリット露光による撮影時におけるフォトリフレクタ４０５の出力信号の変化は次のようになる。たとえば、シャッタ秒時が最短秒時または最短秒時近傍に設定されて撮影が開始されると、図１０（ａ），（ｂ）に示すように、先幕１番羽根４１１の上端および後幕１番羽根４２１の下端がフォトリフレクタ４０５の背面を通過したことを、互いに重なった切り欠き部４１３ｂ，４２３ｂを介してフォトリフレクタ４０５で検出できる。このとき、図１２の符号Ａで示すように、先幕１番羽根４１１の上端がフォトリフレクタ４０５の背面を通過したときにフォトリフレクタ４０５から出力される信号がＨｉｇｈ信号からＬｏｗ信号へ切り替わる。その後、図１２の符号Ｂで示すように、後幕１番羽根４２１の下端がフォトリフレクタ４０５の背面を通過したときにフォトリフレクタ４０５から出力される信号がＬｏｗ信号からＨｉｇｈ信号へ切り替わる。
【００６９】
このように、図１２の符号Ａで示す期間の時間が、ＣＣＤ６９の実際の露光時間（実際のシャッタ秒時）となる。制御回路１０１は、図１２の符号Ａで示す期間の時間を計測し、計測した時間を設定されているシャッタ秒時とを比較することで、実際のシャッタ秒時と設定されているシャッタ秒時との差を算出する。そして、この差が所定時間以上であれば、実際のシャッタ秒時が設定されているシャッタ秒時に近づくように、制御回路１０１は、後幕遮光羽根群の走行開始タイミングを適宜調整する。この調整については公知であるので、詳細な説明を省略する。
【００７０】
上述した第２の実施の形態では、第１の実施の形態の作用効果に加えて、次の作用効果を奏する。
（１）  延在部４１３ａ，４２３ａの右側に所定の高さおよび幅で切り欠き部４１３ｂ，４２３ｂを設けるように構成した。これにより、スリット露光を行う際に切り欠き部４１３ｂ，４２３ｂが互いに重なってフォトリフレクタ４０５の背面側に位置するようになるので、先幕１番羽根４１１の上端の位置および後幕１番羽根４２１の下端の位置がフォトリフレクタ４０５で検出できるようになる。したがって、フォトリフレクタ４０５をいわゆるシャッタモニタとして利用でき、シャッタ秒時の調節により正確なシャッタ秒時での撮影が可能となるので、撮像して得られる被写体像の画像を、ユーザの意図する画質とすることができる。
【００７１】
（２）  少なくとも、シャッタ秒時が最短シャッタ秒時や最短シャッタ秒時近傍に設定されているときに、先幕１番羽根４１１の上端の位置および後幕１番羽根４２１の下端の位置がフォトリフレクタ４０５で検出できるように切り欠き部４１３ｂ，４２３ｂの高さ方向距離および左右方向距離を定めるように構成した。これにより、シャッタ秒時の計測および調節が最も必要となる最短シャッタ秒時や最短シャッタ秒時近傍に設定されているときにシャッタ秒時の計測が可能となり、上述した作用効果を奏する。また、切り欠き部４１３ｂ，４２３ｂの高さ方向距離を多くする必要がなくなるので、切り欠き部４１３ｂ，４２３ｂが設けられているがために幅が狭くなっている部分の高さ方向距離を短くでき、この部分の剛性低下を抑制できる。したがって、先幕３番羽根４１３および後幕３番羽根４２３の走行時に延在部４１３ａの上端側および延在部４２３ａの下端側のばたつきを抑制して、延在部４１３ａ，４２３ａの破損を防止できる。
【００７２】
−−−変形例−−−
（１）  上述した第１の実施の形態では、１つのフォトリフレクタ４０５で先幕３番羽根４１３および後幕３番羽根４２３の位置を直接検出し、検出した結果に基づいて制御回路１０１が発光装置１０５の発光制御のための制御信号を生成して出力するように構成したが、本発明はこれに限定されない。たとえば、フォトリフレクタ４０５で先幕３番羽根４１３および後幕３番羽根４２３のいずれか一方の位置を直接検出し、検出した結果に基づいて制御回路１０１が発光装置１０５の発光制御のための制御信号を生成して出力するように構成してもよい。すなわち、先幕３番羽根４１３および後幕３番羽根４２３のいずれか一方の位置の検出結果に基づいて発光装置１０５の発光制御のための制御信号を生成するように構成してもよく、先幕３番羽根４１３および後幕３番羽根４２３の双方の位置を検出することは必須ではない。
【００７３】
（２）  上述の説明では、左辺４４１ｄの外側にフォトリフレクタ４０５を設けるように構成したが、本発明はこれに限定されない。たとえば、撮影開口４４１の右辺４４１ｂの外側にフォトリフレクタ４０５を設けるように構成してもよい。なお、この場合には、各アーム４１５，４２５，４１６，４２６などとの干渉を避けるように、各アーム４１５，４２５，４１６，４２６の形状や配設位置、回動範囲を適宜設計する必要がある。したがって、上述の説明のように、左辺４４１ｄの外側にフォトリフレクタ４０５を設けるように構成する方が、設計変更が少なく、望ましい。
【００７４】
（３）  上述の説明では、フォトリフレクタ４０５を左辺４４１ｄの外側で左辺４４１ｄの高さ方向略中央に設けるように構成したが、本発明はこれに限定されない。たとえば、フォトリフレクタ４０５を左辺４４１ｄの外側で左辺４４１ｄの高さ方向略中央から上方向または下方向にずらした位置に設けるように構成してもよい。なお、この場合には、上方向または下方向にずらす距離によっては、延在部４１３ａと延在部４２３ａとで上下方向（高さ方向）の長さを変える必要が生じる。先幕遮光機構と後幕遮光機構とを同じ部品で構成するという観点から、上述のように、フォトリフレクタ４０５を左辺４４１ｄの外側で左辺４４１ｄの略中央に設けるように構成することが望ましい。
【００７５】
（４）  上述の説明では、先幕遮光羽根群４１０および後幕遮光羽根群４２０がそれぞれ４枚の先幕遮光羽根４１１〜４１４および後幕遮光羽根４２１〜４２４を備えるように構成しているが、本発明はこれに限定されない。たとえば、先幕遮光羽根群４１０および後幕遮光羽根群４２０がそれぞれ３枚の先幕遮光羽根および後幕遮光羽根を備えるように構成してもよく、５枚以上の先幕遮光羽根および後幕遮光羽根を備えるように構成してもよい。これらの場合であっても、延在部４１３ａ，４２３ａに相当する部分を設ける羽根は、上述した理由と同様の理由から、遮光羽根群の走行方向に沿った先頭の羽根および最後方の羽根を除く他の羽根であることが望ましい。
【００７６】
（５）  上述の説明では、撮像素子としてＣＣＤ６９を用いているが、撮像素子はＣＣＤ６９に限らずＣＭＯＳなどの他の種類の撮像素子であってもよい。また、本発明を撮像素子を用いた電子カメラではなく、銀塩フィルムを用いるカメラに適用してもよい。
【００７７】
（６）  上述の説明では、延在部４１３ａ，４２３ａの位置を一体型のフォトリフレクタ４０５によって検出するように構成しているが、本発明は、これに限定されない。たとえば、発光部と受光部とが対になっていれば、発光部と受光部が分離していてもよい。また、延在部４１３ａ，４２３ａの位置を検出できるのであれば、フォトリフレクタ４０５以外の他の種類の非接触センサを用いてもよい。
（７）  上述した各実施の形態および変形例は、それぞれ組み合わせてもよい。
【００７８】
なお、本発明は、上述した実施の形態のものに何ら限定されず、被写体像を撮像する撮像手段と、撮像手段の前面で走行して撮像手段への被写体光の入射を禁止および許可する先幕遮光羽根群および後幕遮光羽根群と、先幕遮光羽根群が取り付けられる先幕レバーと、後幕遮光羽根群が取り付けられる後幕レバーと、先幕レバーを軸支する先幕回動軸と、後幕レバーを軸支する後幕回動軸とを有するシャッタ装置と、シャッタ装置の先幕レバーおよび後幕レバーを回動させるシャッタ駆動装置と、撮像手段への被写体光の入射を禁止していた先幕遮光羽根群が走行を開始して撮像手段における撮像に有効な範囲内に入射する被写体光に干渉しなくなる第１のタイミングを、先幕遮光羽根群を構成する複数の先幕遮光羽根のいずれか１枚の位置で検出する１つの検出手段と、検出手段の検出結果に基づいて、発光装置の発光制御のための制御信号を生成する信号生成手段とを備えることを特徴とする各種構造のカメラを含むものである。
【００７９】
また、本発明は、上述した実施の形態のものに何ら限定されず、撮像手段の前面で走行して撮像手段への被写体光の入射を禁止および許可する先幕遮光羽根群および後幕遮光羽根群と、先幕遮光羽根群が取り付けられる先幕レバーと、後幕遮光羽根群が取り付けられる後幕レバーと、先幕レバーを軸支する先幕回動軸と、後幕レバーを軸支する後幕回動軸と、撮像手段への被写体光の入射を禁止していた先幕遮光羽根群が走行を開始して撮像手段における撮像に有効な範囲内に入射する被写体光に干渉しなくなるタイミングを、先幕遮光羽根群を構成する複数の先幕遮光羽根のいずれか１枚の位置で検出する１つの検出手段とを備えることを特徴とする各種構造のシャッタ装置を含むものである。
【符号の説明】
【００８０】
６９  ＣＣＤ                              １００  カメラボディ
１０５  閃光装置（発光装置）              １２０  撮影レンズ
４００  シャッタ装置                      ４０１  遮光羽根部
４０２  遮光羽根駆動部                    ４０５  フォトリフレクタ
４１０  先幕遮光羽根群                    ４１１  先幕遮光羽根（先幕１番羽根）
４１２  先幕遮光羽根（先幕２番羽根）      ４１３  先幕遮光羽根（先幕３番羽根）
４１３ａ  延在部                          ４１３ｂ  切り欠き部
４１４  先幕遮光羽根（先幕４番羽根）      ４１５  先幕主アーム
４１６  先幕従動アーム                    ４２０  後幕遮光羽根群
４２１  後幕遮光羽根（後幕１番羽根）      ４２２  後幕遮光羽根（後幕２番羽根）
４２３  後幕遮光羽根（後幕３番羽根）      ４２３ａ  延在部
４２３ｂ  切り欠き部                      ４２４  後幕遮光羽根（後幕４番羽根）
４２５  後幕主アーム                      ４２６  後幕従動アーム
【図１】
2011028024.tif 000003
【図２】
2011028024.tif 000004
【図３】
2011028024.tif 000005
【図４】
2011028024.tif 000006
【図５】
2011028024.tif 000007
【図６】
2011028024.tif 000008
【図７】
2011028024.tif 000009
【図８】
2011028024.tif 000010
【図９】
2011028024.tif 000011
【図１０】
2011028024.tif 000012
【図１１】
2011028024.tif 000013
【図１２】
2011028024.tif 000014